(57)【要約】【課題】  原稿読取部における原稿搬送系の電磁クラッチ、及光学読取系の光源の使用寿命を延ばすことができる画像処理装置を提供する。【解決手段】  読取部１９により原稿の画像を読み取り、その読み取った画データを画像メモリ２０に記憶するとともに、コーデック２１にて圧縮符号化する。その後、圧縮符号化された画データをオプションボード１３に転送して画像メモリ３２に記憶する。画データの転送に要する時間を計測し、その計測時間が所定時間以上になっても転送が終了しないとき、読取部１９の原稿搬送系の電磁クラッチに対する通電を停止させ、転送が終了したとき、通電を再開させる。読取部１９の光学読取系の光源に対する通電及び通電停止を、電磁クラッチと同じタイミングで制御する。【選択図】      図１
2005277894.tif 000002
【特許請求の範囲】
【請求項１】
原稿の画像を読み取るための読取手段と、その読取手段で読み取られた画データを記憶するための記憶手段と、記憶された画データを転送するための転送手段とを備えた画像処理装置において、前記記憶手段に記憶された画データの状況を監視し、その記憶手段における画データの記憶不能状態の時間を計測する計測手段と、その時間計測において所定時間以上経過した場合に、用紙搬送系の電磁クラッチに対する通電を停止させ、前記記憶不能状態の解除にともない通電を再開させるための制御手段とを備えた画像処理装置。
【請求項２】
原稿の画像を読み取るための読取手段と、その読取手段で読み取られた画データを記憶するための記憶手段と、記憶された画データを転送するための転送手段とを備えた画像処理装置において、前記画データの転送に要する時間を計測するための計測手段と、その時間計測において所定時間以上経過した場合に、用紙搬送系の電磁クラッチに対する通電を停止させ、転送終了にともない通電を再開させるための制御手段とを備えた画像処理装置。
【請求項３】
原稿の画像を読み取るための読取手段と、画データを記憶するための記憶手段と、読取手段で読み取られた画データを圧縮符号化するためのデータ変換手段と、圧縮符号化された画データを外部へ転送するための転送手段とを備えた画像処理装置において、前記データ変換手段において圧縮符号化に要する時間を計測するための計測手段と、その時間計測において所定時間以上経過した場合に、用紙搬送系の電磁クラッチに対する通電を停止させ、圧縮符号化終了にともない通電を再開させるための制御手段とを備えた画像処理装置。
【請求項４】
前記用紙搬送系の電磁クラッチは、読取手段における原稿搬送系の電磁クラッチである請求項１〜３のうちのいずれか一項に記載の画像処理装置。
【請求項５】
メインボードとオプションボードとを有し、前記記憶手段がメインボードに搭載されるとともに、オプションボードには別の記憶手段が搭載され、メインボードの記憶手段に記憶された画データがオプションボードに転送されてそのオプションボードの記憶手段に記憶されるようにした請求項１〜４のうちのいずれか一項に記載の画像処理装置。
【請求項６】
前記メインボード上の記憶手段は、読み取られた画データを２値化して記憶する第１の記憶部と、符号化手段により圧縮符号化された画データを記憶する第２の記憶部とにより構成されている請求項５に記載の画像処理装置。
【請求項７】
前記制御手段は、読取手段の光学読取系の光源に対する通電及び通電停止を、前記電磁クラッチと同じタイミングで制御する請求項１〜６のうちのいずれか一項に記載の画像処理装置。
【発明の詳細な説明】
【技術分野】
【０００１】
この発明は、ファクシミリ装置等の画像処理装置に関するものである。
【背景技術】
【０００２】
一般に、この種の画像処理装置においては、原稿から読み取られた画データをイメージデータとして取り込み、その画データを圧縮符号化した後に、所要箇所に転送するようになっている。
【０００３】
しかしながら、このようなデータ処理動作において、原稿から読み取られた画データの量が多い場合や、原稿上の画像が特殊な表現形式である場合には、画データの圧縮符号化に長時間を要して、その間、画像メモリが占拠され、その画データの圧縮符号化及び転送が終了するまで、次の原稿の読み取りを開始することができない。
【０００４】
この場合、原稿の読み取りが行われていないにも関わらず、原稿読取部において、原稿搬送系の給送用ローラと駆動用モータとの間に設けられた電磁クラッチが長時間に亘って通電状態のまま維持されるため、その電磁クラッチの使用寿命が短くなるという問題があった。同様に、原稿読取部の光学読取系に設けられた光源についても、通電状態のまま維持されるため、その光源の使用寿命が短くなるという問題があった。
【０００５】
また、特定の条件下において原稿搬送系の電磁クラッチに対する通電を停止して、その電磁クラッチの使用寿命を延ばすようにした画像形成装置としては、例えば特許文献１に開示されるような構成のものが知られている。すなわち、この従来装置においては、各原稿が所定距離あるいは所定時間搬送されたときや、画像データ送信時にプロトコルのやり取りを行っている間、電磁クラッチ及び駆動用モータに対する通電を一定時間だけ停止させるようにしている。
【特許文献１】特開２００３−６３６７６号公報
【発明の開示】
【発明が解決しようとする課題】
【０００６】
ところが、この従来装置においては、各原稿ごとに通電を一定時間停止させるようになっているため、電磁クラッチのオン・オフ回数がきわめて多くなって、その寿命に悪影響を与える結果となる。しかも、原稿から読み取られた画データの処理中には、電磁クラッチが通電状態のまま維持されるようになっているため、画データの量が多い場合等のように、画データの処理に時間を要する場合には、電磁クラッチもオン状態に維持されて、その寿命に悪影響を及ぼすものであった。
【０００７】
この発明は、このような従来の技術に存在する問題点に着目してなされたものである。その目的は、電磁クラッチの使用寿命を効果的に延ばすことができる画像処理装置を提供することにある。
【０００８】
この発明のその上の目的は、原稿読取部の光源の使用寿命を効果的に延ばすことができる画像処理装置を提供することにある。
【課題を解決するための手段】
【０００９】
上記の目的を達成するために、請求項１に記載の発明は、原稿の画像を読み取るための読取手段と、その読取手段で読み取られた画データを記憶するための記憶手段と、記憶された画データを転送するための転送手段とを備えた画像処理装置において、前記記憶手段に記憶された画データの状況を監視し、その記憶手段における画データの記憶不能状態の時間を計測する計測手段と、その時間計測において所定時間以上経過した場合に、用紙搬送系の電磁クラッチに対する通電を停止させ、前記記憶不能状態の解除にともない通電を再開させるための制御手段とを備えたことを特徴とする。
【００１０】
請求項２に記載の発明は、原稿の画像を読み取るための読取手段と、その読取手段で読み取られた画データを記憶するための記憶手段と、記憶された画データを転送するための転送手段とを備えた画像処理装置において、前記画データの転送に要する時間を計測するための計測手段と、その時間計測において所定時間以上経過した場合に、用紙搬送系の電磁クラッチに対する通電を停止させ、転送終了にともない通電を再開させるための制御手段とを備えたことを特徴とする。
【００１１】
請求項３に記載の発明は、原稿の画像を読み取るための読取手段と、画データを記憶するための記憶手段と、読取手段で読み取られた画データを圧縮符号化するためのデータ変換手段と、圧縮符号化された画データを外部へ転送するための転送手段とを備えた画像処理装置において、前記データ変換手段において圧縮符号化に要する時間を計測するための計測手段と、その時間計測において所定時間以上経過した場合に、用紙搬送系の電磁クラッチに対する通電を停止させ、圧縮符号化終了にともない通電を再開させるための制御手段とを備えたことを特徴とする。
【００１２】
請求項４に記載の発明は、請求項１〜３のうちのいずれか一項に記載の発明において、前記用紙搬送系の電磁クラッチは、読取手段における原稿搬送系の電磁クラッチであることを特徴とする。
【００１３】
請求項５に記載の発明は、請求項１〜４のうちのいずれか一項に記載の発明において、メインボードとオプションボードとを有し、前記記憶手段がメインボードに搭載されるとともに、オプションボードには別の記憶手段が搭載され、メインボードの記憶手段に記憶された画データがオプションボードに転送されてそのオプションボードの記憶手段に記憶されるようにしたことを特徴とする。
【００１４】
請求項６に記載の発明は、請求項５に記載の発明において、前記メインボード上の記憶手段は、読み取られた画データを２値化して記憶する第１の記憶部と、符号化手段により圧縮符号化された画データを記憶する第２の記憶部とにより構成されていることを特徴とする。
【００１５】
請求項７に記載の発明は、請求項１〜６のうちのいずれか一項に記載の発明において、前記制御手段は、読取手段の光学読取系の光源に対する通電及び通電停止を、前記電磁クラッチと同じタイミングで制御することを特徴とする。
【発明の効果】
【００１６】
この発明によれば、読み取られた画データの処理に時間がかかる場合、原稿読取部における原稿搬送系の電磁クラッチに対する通電が停止されるため、電磁クラッチの使用寿命を効果的に延ばすことができる。また、この発明によれば、光学読取系の光源に対しても同様なタイミングで通電が停止されるため、その使用寿命を効果的に延ばすことができる。
【発明を実施するための最良の形態】
【００１７】
以下に、この発明を具体化した一実施形態を図面に基づいて説明する。この実施形態は、この発明がファクシミリ機能を有する画像処理装置（以下、複合機という）を備えた画像処理システムにおいて具体化されたものである。
【００１８】
図１に示すように、この実施形態において、画像処理システム１１は、複合機１２と、複合機１２に接続されたオプションボード１３と、複合機１２に接続されたパソコン１４とから構成されている。
【００１９】
前記複合機１２は、ＭＰＵ１６とＲＯＭ１７とを有する制御部１５、記憶部１８、読取部１９、画像メモリ２０、コーデック２１、記録部２２、表示部２３、操作部２４、モデム２５、ＮＣＵ（網制御回路）２６、及び電源回路２７から構成されている。そして、各部１５〜２６が複合機１２のメインボード１２ａにおいて、バス２８を介して接続されている。
【００２０】
制御手段を構成する前記制御部１５のＭＰＵ１６は、複合機１２の各構成部分を制御する。制御部１５のＲＯＭ１７は、複合機１２を制御するためのプログラムを記憶する。記憶部１８はＲＡＭからなり、複合機１２に関する各種情報を一時的に記憶する。
【００２１】
読取手段を構成する前記読取部１９は、後述するようにスキャナや原稿自動供給装置等から構成され、原稿上の画像を読み取って画データに対応した信号を出力する。記憶手段としての画像メモリ２０は、読取部１９において読み取った原稿の画データを一時的に記憶する。すなわち、画像メモリ２０は、図３に示すように、読み取られた画データを２値化して記憶するための第１の記憶部２０ａと、後述するコーデック２１によって圧縮符号化された画データを記憶するための第２の記憶部２０ｂとを有している。
【００２２】
符号化手段及び変換手段を構成するコーデック２１は、画像処理送受信等のために画データの圧縮符号化及び復合を行う。
記録部２２は、電子写真方式のプリンタよりなり、読取部１９において読み取った画像や、受信した画データを記録紙上に記録する。
【００２３】
前記表示部２３は、ＬＣＤ（液晶ディスプレイ）よりなり、複合機１２の動作状態等を示す各種情報の表示を行う。操作部２４は、電話番号等を入力するためのテンキー（＊，＃キーを含む）、短縮番号の登録、短縮番号から発信するための短縮キー、原稿の読み取り動作を開始させるためのスタートキー、「通信（ＦＡＸ）」動作または「コピー」動作を設定するための通信／コピーキー等の各種操作キーを備えている。
【００２４】
前記モデム２５は、画像処理伝送制御手順に基づいて送信データの変調及び受信データの復調を行う。ＮＣＵ２６は、電話回線Ｌとの接続を制御するとともに、相手先の電話番号等に対応したダイヤル信号を送出する機能及び着信を検出するための機能を備えている。
【００２５】
前記電源回路２７は、制御部１５からの指令信号に基づいて、複合機１２を構成する各部１５〜２６に電源を供給する。
前記オプションボード１３は、複合機１２をＬＡＮ等のネットワークに接続するために装備され、ＭＰＵ３０とＲＯＭ３１を有する制御部２９、及び記憶手段としての画像メモリ３２等から構成されている。そして、各部２９〜３２がバス３３を介して複合機１２の各部に通信可能に接続されている。
【００２６】
前記オプションボード１３の制御部２９のＭＰＵ３０は、オプションボード１３の各構成部分の制御や、複合機１２とパソコン１４との間の通信処理等を行う。制御部２９のＲＯＭ３１は、オプションボード１３を制御するためのプログラムを記憶する。画像メモリ３２は、後述するように複合機１２のメインボード１２ａ上のコーデック２１で圧縮符号化されて、オプションボード１３に転送されてくる画データを記憶する。
【００２７】
次に、前記複合機１２の読取部１９の機械的構成について詳細に説明する。
図２に示すように、複合機１２の上部には、原稿給送部４１、静止原稿載置部４２及び原稿読取機構部４３が装設されている。原稿給送部４１は、複数の原稿を連続的に搬送して、その表裏両面の画像を読み取る場合に、それらの原稿を搬送するための搬送経路Ｔを構成する。静止原稿載置部４２は、原稿上から静止画像を読み取る場合に、その原稿を載置支持する。また、図２には図示しないが、複合機１２の下部には、周知の記録紙供給部、前記記録部２２及び記録紙排出部がそれぞれ装設されている。
【００２８】
前記原稿給送部４１には、読み取り前の複数の原稿を積層状態で載置するための原稿台４４と、読み取り後の原稿を積層状態で載置するための原稿排出台４５とが装備されている。そして、この原稿台４４の原稿送込口から、原稿排出台４５の原稿排出口までの間が、前記搬送経路Ｔとなっている。
【００２９】
前記原稿台４４の原稿送込口の近傍には、原稿台４４に載置された複数枚の原稿の前端と当接するように、開閉可能なシャッタ４６が配設されている。シャッタ４６の上流側には、原稿台４４上の複数枚の原稿のうちの一番上の原稿に当接して、その原稿を搬送経路Ｔ側に送り出すためのピックアップローラ４７が配設されている。シャッタ４６の下流側には、ピックアップローラ４７によりシャッタ４６を通過して送り出された原稿を、１枚ずつ分離して搬送経路Ｔ内に送り込むための分離ローラ４８及び分離パッド４８ａが配設されている。
【００３０】
前記原稿給送部４１の分離ローラ４８の下流側には、レジストローラ４９、第１給送ローラ５０、第２給送ローラ５１、表面読取用ローラ５２、第３給送ローラ５３、裏面読取用ローラ５４、及び第４給送ローラ５５が搬送経路Ｔに沿って原稿の搬送順に配設されている。これらのローラ４９〜５５のうちで、レジストローラ４９、第１給送ローラ５０、第２給送ローラ５１、第３給送ローラ５３及び第４給送ローラ５５には、アイドルローラ４９ａ，５０ａ，５１ａ，５３ａ，５５ａがそれぞれ接触配置されている。
【００３１】
前記ピックアップローラ４７から第４給送ローラ５５までの各ローラ４７〜５５は、図３に示す１つの駆動用モータとしてのステップモータ５６に作動連結されて回転駆動されるようになっている。また、ピックアップローラ４７及び分離ローラ４８とステップモータ５６との間、レジストローラ４９とステップモータ５６との間、その他の各ローラ５０〜５５とステップモータ５６との間には、図３に示す電磁クラッチ５７Ａ，５７Ｂ，５７Ｃがそれぞれ介装され、必要に応じて各ローラ４７〜５５とステップモータ５６との作動連結が遮断されるようになっている。さらに、前記裏面読取用ローラ５４と対応する位置には、光源５９ａ及び撮像素子（ＣＣＤ）５９ｂを内装した密着型イメージセンサ５９が配設されている。なお、図３は、複合機１２の読取部１９に関連した電気的構成を、制御部１５を中心にして表したものである。
【００３２】
図２に示すように、前記静止原稿載置部４２には、上面に原稿を載置するための透明な原稿載置板６０と、その原稿載置板６０上に開閉回動可能に配設された押え蓋６１とが装備されている。そして、前記原稿給送部４１の原稿台４４及び原稿排出台４５は、この静止原稿載置部４２の押え蓋６１上に配設されている。
【００３３】
前記原稿読取機構部４３には、透光板６２、光源６３、第１ミラー６４、第２ミラー６５、第３ミラー６６、集光レンズ６７及び撮像素子６８が装備されている。透光板６２は、原稿給送部４１の表面読取用ローラ５２に対抗配置されている。光源６３は、透光板６２上を通過する原稿、または原稿載置板６０上に載置された原稿に光を照射する。第１〜第３ミラー６４〜６６は、原稿からの反射光の光路を変更する。集光レンズ６７は、第３ミラー６６からの光を撮像素子６８上に収束させる。撮像素子６８は、集光レンズ６７を通して入射した光に基づいて原稿の画像を読み取るとともに、その読み取った原稿の画像信号を出力する。
【００３４】
前記光源６３及び第１ミラー６４は、副走査方向に移動可能な第１キャリッジ６９上に支持されている。また、第２及び第３ミラー６５，６６は、同じく副走査方向に移動可能な第２キャリッジ７０上に支持されている。そして、図示しない周知の移動機構によって、第１キャリッジ６９が第２キャリッジ７０の２倍の移動速度で移動されるようになっている。
【００３５】
これにより、前記原稿給送部４１による複数の原稿の連続搬送時には、第１及び第２キャリッジ６９，７０が、その移動範囲のほぼ中央に設定された待機位置Ｐ１から、透光板６２の真下に対向位置する読取位置Ｐ２に移動配置される。また、静止原稿載置部４２に載置された原稿上の静止画像の読み取り時には、両キャリッジ６９，７０が、原稿載置板６０の原稿給送部４１側の端部の真下に対向位置する位置Ｐ３と、原稿載置板６０の反対側端部の真下に対向位置する位置Ｐ４との間で移動される。
【００３６】
そして、前記のような構成の原稿給送部４１及び原稿読取機構部４３により原稿自動読取装置（ＡＤＦ）が構成され、第１及び第２キャリッジ６９，７０が読取位置Ｐ２に配置された状態で、透光板６２上を通過する原稿上の画像の読み取りを行う。また、静止原稿載置部４２及び原稿読取機構部４３によりフラットベッドスキャナ（ＦＢＳ）が構成され、両キャリッジ６９，７０が位置Ｐ３から位置Ｐ４まで移動される間で、原稿載置板６０上に載置された原稿上の画像の読み取りを行う。
【００３７】
次に、前記読取部１９に関連する電気的構成について図３を参照して説明する。
前記制御部１５は、読取部１９で読み取った画データを、パソコン１４を介して外部に転送する場合、読取部１９の撮像素子５９ｂ，６８からの画データをメインボード１２ａの画像メモリ２０の第１の記憶部２０ａに記憶させる。その後、制御部１５は、第１の記憶部２０ａに記憶された画データをコーデック２１においてデータ変換して圧縮符号化し、その圧縮符号化された画データを第２の記憶部２０ｂに記憶させる。そして、制御部１５は、この圧縮符号化された画データを頁単位でオプションボード１３の画像メモリ３２に転送して同画像メモリ３２に記憶させる。そして、制御部１５は、この画像メモリ３２の画データをパソコン１４から外部に転送させる。
【００３８】
また、前記制御部１５は、原稿給送部４１及び原稿読取機構部４３よりなる原稿自動読取装置を使用して、複数の原稿の読み取りを行っている際に、オプションボード１３の画像メモリ３２に対する画データの開始から終了までの時間を計測する。そして、計測時間が所定時間以上経過しても転送が終了しないとき、原稿給送部４１の電磁クラッチ５７Ａ，５７Ｂ，５７Ｃに対する電源回路２７からの通電を停止させるとともに、転送が終了したとき通電を再開させる。さらに、制御部１５は、原稿読取機構部４３の光源５９ａ，６３に対しても、電磁クラッチ５７Ａ〜５７Ｃと同じタイミングで通電及び通電停止を制御する。従って、前記制御部１５は、計測手段を構成する。
【００３９】
次に、前記のように構成された複合機１２おいて、複合機１２をネットワークスキャナとして利用して、読取部１９の原稿自動読取装置で読み取った画データを、パソコン１４を介して外部に転送する場合の動作について、図４に示すフローチャートを用いて説明する。なお、この動作は、制御部１５のＲＯＭ１７に記憶されたプログラムに基づいて、ＭＰＵ１６の制御により実行される。
【００４０】
まず、ステップＳ１においては、読取部１９の原稿給送部４１及び原稿読取機構部４３が作動され、原稿台４４上に載置された原稿が搬送経路Ｔに送り込まれて、その原稿上の画像の読み取りが開始される。ステップＳ２においては、原稿上から読み取られて撮像素子５９ｂ、６８から発生される画データが２値化されてメインボードにおける画像メモリ２０の第１の記憶部２０ａに記憶されるとともに、その第１の記憶部２０ａの画データがコーデック２１で圧縮符号化されて、同画像メモリ２０の第２の記憶部２０ｂに記憶される。
【００４１】
次のステップＳ３においては、原稿給送部４１の各電磁クラッチ５７Ａ，５７Ｂ，５７Ｃの通電状態（通電の有無）が記憶部１８に一時的に記憶される。ステップＳ４においては、圧縮符号化された画データがオプションボード１３に対して頁単位で転送されて、その画像メモリ３２に記憶される。
【００４２】
ステップＳ５においては、ＭＰＵ１６によりコーデック２１の作動状況が確認されて、オプションボード１３への画データの転送が終了したか否かが判別される。そして、転送が終了していない場合には、ステップＳ６に移行する。
【００４３】
ステップＳ６においては、画像メモリ２０の第２の記憶部２０ｂに記憶された画データの転送開始から所定時間以上経過したか否かが判別される。所定時間以上経過していない場合には、前記ステップＳ６に戻って、画データの転送が続行される。これに対して、例えば画データの量が多いために、画データの転送開始から所定時間以上経過しても、転送が終了しない場合には、ステップＳ７に移行する。このステップＳ７においては、前記電磁クラッチ５７Ａ〜５７Ｃに対する電源回路２７からの通電が停止されると同時に、原稿読取機構部４３の光源５９ａ，６３に対する電源回路２７からの通電が停止される。その後、前記ステップＳ６に戻って、画データの転送が続行される。
【００４４】
一方、前記ステップＳ５の判別において、画データの転送が終了した場合には、ステップＳ８に移行する。このステップＳ８においては、電磁クラッチ５７Ａ〜５７Ｃが記憶部１８に記憶された元の通電状態にセットされるとともに、光源５９ａ，６３に対する通電が再開される。ステップＳ９においては、原稿台４４上に次の原稿があるか否かが判別される。そして、原稿がある場合には、前記ステップＳ１に戻って、次の原稿の画像読み取り動作が開始される。これに対して、次の原稿がない場合には、原稿の読み取り転送動作が終了する。
【００４５】
以上のように、この複合機１２においては、読取部１９の原稿自動読取装置で読み取った画データを、外部に転送する場合、その転送に要する時間が計測される。そして、計測時間が所定時間以上になっても転送が終了しない場合、原稿給送部４１の電磁クラッチ５７Ａ〜５７Ｃ及び原稿読取機構部４３の光源５９ａ，６３に対する通電が停止され、転送が終了したときに、それらに対する通電が再開されるようになっている。このため、例えば、前記のように原稿から読み取られた画データ中のデータ量が多くて、その処理に長時間を要するような場合、その長時間に亘って、電磁クラッチ５７Ａ〜５７Ｃ及び光源５９ａ，６３が通電状態に維持されることはない。よって、この電磁クラッチ５７Ａ〜５７Ｃ及び光源５９ａ，６３の使用寿命を効果的に延ばすことができる。
【００４６】
なお、前記実施形態では、この発明を原稿給送部４１の電磁クラッチ５７Ａ〜５７Ｃ及び原稿読取機構部４３の光源５９ａ，６３に対する通電制御において具体化したが、記録部２２の記録紙搬送系の電磁クラッチの制御にこの発明を具体化してもよい。このように構成した場合は、原稿の画像を読み込んで、そのまま記録する場合に、記録部２２の記録紙搬送系の電磁クラッチに対して前記実施形態のような通電制御が実行されて、その電磁クラッチの寿命を延ばすことができる。
【００４７】
また、前記実施形態では、制御部１５が画データの転送に要する時間を計測して電磁クラッチ等を制御するように構成したが、これに代えて、制御部１５が、例えば、第１の記憶部２０ａあるいは第２の記憶部２０ｂの残量容量を監視し、原稿から読み取られた画データを記憶させることができない記憶不能状態の時間を計測したり、データ変換手段を構成するコーデック２１の圧縮符号化に要する時間を計測したりして、電磁クラッチ等に対して前記実施形態と同様な制御を行うように構成してもよい。
【図面の簡単な説明】
【００４８】
【図１】一実施形態の複合機を備えた画像処理システムのブロック図。
【図２】複合機の原稿読取部の構成を示す要部断面図。
【図３】原稿読取部に関する制御構成を示すブロック図。
【図４】原稿の読み取り及び画データの処理動作を示すフローチャート。
【符号の説明】
【００４９】
１１…画像処理システム、１２…画像処理装置としての複合機、１２ａ…メインボード、１３…オプションボード、１４…転送手段としてのパソコン、１５…計測手段及び制御手段を構成する制御部、１６…ＭＰＵ、１７…ＲＯＭ、１８…記憶部、１９…読取手段としての読取部、２０…記憶手段を構成する画像メモリ、２０ａ…第１の記憶部、２０ｂ…第２の記憶部、２１…データ変換手段及び符号化手段を構成するコーデック、３２…記憶手段を構成する画像メモリ、４１…原稿給送部、４３…原稿読取機構部、５６…ステップモータ、５７Ａ，５７Ｂ，５７Ｃ…電磁クラッチ、５９…イメージセンサ、５９ａ…光源、６３…光源。
【図１】
2005277894.tif 000003
【図２】
2005277894.tif 000004
【図３】
2005277894.tif 000005
【図４】
2005277894.tif 000006